(57)【要約】【課題】  従来のサイン入力カメラは手書きで文字情報を書き込みするが、字の下手な場合に、文字の判読が難しいこともあった。【解決手段】カメラ本体に漢字、ひらがな、カタカナ、英語等の各国語の活字体を記憶しているコンピュータの記憶素子を備え、カメラにタッチパネルを設け、入／切ボタンを入に入れ、タッチペンでタッチパネル面に手書き入力方法で撮影の際に必要な文字情報を入力し、モニターの漢字等のボタンを押すと、手書き入力の文字情報が記憶素子に伝達され、記憶素子が認識し、手書き入力を活字体に変換して表示し、確定ボタンを押すと、これら一連の活字体は、電子的情報処理で画像とリンクさせて、デジタルカメラや銀塩カメラやビデオカメラのタッチパネルやフィルムに記憶表示するようにした漢字等手書き等入力カメラ。【選択図】図１
2007128474.tif 000002
【特許請求の範囲】
【請求項１】
カメラ本体に、漢字、ひらがな、カタカナ、英語等の各国語の活字体を記憶しているコンピュータの記憶素子を備え、撮影の際の必要な文字情報を手書き入力方法で文字情報を入れ、電子的情報処理で画像とリンクさせて、活字体でデジタルカメラや銀塩カメラやビデオカメラに記憶するようにした漢字等手書き入力カメラ。
【発明の詳細な説明】
【技術分野】
【０００１】本発明は、漢字手書き入力カメラに係り、撮影した画像に手書きで入力した文字をリンクさせて記録することが可能な漢字等手書き入力に関する。【０００２】従来の銀塩カメラやデジタルカメラにおいて、撮影した画像に撮影日付や  撮影条件を一緒に写しこむことが可能なカメラが知られている。又、画像記録媒体に画像情報に加えて文字情報を記録する方法がある。（例えば特許文献１参照。）【０００３】又、撮影した画像に文字を手書きで情報を書き込むことが可能なサイン入力カメラもある。（例えば特許文献２参照。）【０００４】以下、特許文献１について説明する。特許文献１に示されている画像に写しこむ文字情報は、日付等の定型の文字情報のみであったため、撮影者の自筆のサインや撮影した場所の地名等を撮影後の分類のために即座に入力することができなかった。又、特許文献２では撮影者のサインや撮影場所等のコメント撮影後、即座に手書き入力して、画像とともに記録することが可能なサイン入力カメラである。【０００５】図１は、特許文献２に係るサイン入力カメラの斜視図である。同図は、表示手段２２の一部には、サイン等のメッセージを直接書き込むことが可能な、タッチパネル等で構成された手書き入力手段３０が設けられている。この入力に際して、タッチペン３２を用いると前記メッセージの入力が容易となる。
撮影した画像に対応した必要な文字やサインをタッチペン３２を用いて書き込む。タッチパネル上に書き込まれた文字やサインは、撮影者が確認し易いように書き込んだ軌跡を表示する。【０００６】特許文献２では、カメラ本体にコンピュータの記憶素子を備えておらず、文字は手書き入力していた。人には字の上手な人や、下手な人がいるが字の下手な場合には、判読が難しいものもある。【０００７】
【特許文献１】特開平９−２６５１２９号公報
【特許文献２】特開平２００１−２１９８３号公報
【非特許文献】「カシオ計算機、電子辞書総合カタログ  ２００５−９  Ｐ１９
【発明の開示】
【発明が解決しようとする課題】
【０００８】以上に述べた従来のサイン入力カメラでは、文字を入力する場合に手書きでは行われていた。そのため字の下手な場合には、判読が難しいのもあった。【０００９】本発明は、このような従来の構成が有していた問題を解決しようとするものであり、カメラに必要な文字を手書きで入力し、カメラの画像には明確な活字体として表示することを目的とするものである。
【課題を解決するための手段】
【００１０】そして、本発明では上記目的を達成するために、カメラ本体に、漢字、ひらがな、カタカナ、英語等の各国語の活字体を記憶しているコンピュータの記憶素子を備え、撮影の際の必要な文字情報を、手書き入力方法で文字情報をいれ、電子的情報処理で画像とリンクさせる。
活字体で、デジタルカメラや銀塩カメラやビデオカメラに記録するようにしたものである。【００１１】又、第二の解決手段は前記手書き入力手段にタッチパネルを用いたことを特徴とする漢字等手書き入力カメラである。【００１２】又、第３の解決手段は前記文字情報を光学情報に変換したデジタルカメラや銀塩フィルムやビデオカメラに記録することを特徴とする漢字等手書き入力カメラである。
【発明の効果】
【００１３】上述したように、従来のサイン入力カメラでは、文字を入力する場合に手書きで行われていたが、字の下手な場合には、判読が難しいのもあった。本発明の漢字等手書き入力カメラは、漢字等を手書きで入力しても直ちに電子的情報処理して、活字体でデジタルカメラや銀塩フィルムやビデオカメラに記録できる漢字等手書き入力カメラを提供できる。
【本発明を実施するための最良の形態】
【００１４】以下、本発明の実施の形態を図１〜図３に基づいて説明する。
【００１５】図１、２、３は漢字等手書き入力カメラ１を用いて被写体を撮影し、漢字等手書き入力を行っている状態示している。漢字等手書き入力カメラ１には、被写体像を結像面に結像させるレンズ２と撮影を指示するレリーズボタンと画像モニター７とが設けられている。
【発明を実施するための最良の形態】
【００１６】又、漢字等手書き入力のメッセージを直接書き込むことが可能な、タッチパネル４等で構成された画像８が設けられている。この入力にさいして、タッチパネル１６を用いると前記メッセージの入力が容易となる。【００１７】カメラ本体に漢字、ひらがな、カタカナ、英語等の各国語の活字体を記憶しているコンピュータの記憶素子を備え、撮影の際の必要な文字情報を備え、撮影の際の必要な文字情報を手書き入力方法で、文字情報を入れ、電子的情報処理で画像とリンクさせて、活字体でデジタルカメラや銀塩カメラやビデオカメラに記録するようにしたのもで、前記手書き入力方法にタッチパネルを用いるのと前記文字情報を光学情報に変更して、デジタルカメラや銀塩カメラやビデオカメラに記録することを特徴とする漢字等手書き入力カメラである。又、図１、２、３のタッチパネル４の漢字等や画像８の動きを理解し易くするため、仮定の太郎という少年を設定した。【００１８】画像モニター７の右側の漢字５、ひらがな６、英語９のタッチパネル４の内部には夫々、漢字５等のコンピュータの活字体の記憶素子が内臓されている。又、再入力は１０は画像８に誤って入力されていた場合の補正の手段である。又、設定１４は、フィルムに表示される活字体の黄色等の色を選択するものである。【００１９】画像モニター７に漢字、ひらがな、カタカナ、英語等の文字情報をタッチペン１６で入力する手順について説明する。入力する前に、入力する文字をメモに書いておく。まず、指で入／切ボタン１１を入に入れる。次にクリアボタン１２を押し、画面上の全ての画像を消去する。【００２０】次に入力ボタン１３を押し、先ず前記メモの中の漢字だけを順にタッチペン１６でタッチして入力する。次に画像モニター７の漢字５をタッチペン１６でタッチして手書きの漢字を活字体に直す。又次は、前記画像モニター７の残りのひらがな、（カタカナ）６をタッチペン１６で入力し、画像モニター７のひらがな、（カタカナ）６をタッチペン１６でタッチして活字体に直す。【００２１】字の中に誤記等があった場合には、再入力１０をタッチペン１６でタッチして、タッチペン１６で該当文字をタッチすると前の文字が、消え、新しい文字を入力できる。全部の字が活字体で、また正しく表示したら、確定ボタン１５を押すとその字列は画像８の下の変換位置にそのまま縮小し確定画像１７として表示される。これで、文字列は写真を撮れる位置にセットする。また確定画像１７の上には従来の日付１８を表示する。【００２２】そして漢字等手書き入力カメラ１を撮影する被写体に向けて、焦点や露出状態を決定したのちにレリーズボタン３を押して撮影を終了する。銀塩フィルムやデジタルカメラやビデオカメラのＣＣＤに記録した画像に、入力した漢字５やひらがな６、文字等を合成して記録する場合には、銀塩フィルムの近傍に光源を設け、該光源と銀塩フィルムやＣＣＤの間に液晶等で複数のドットを表示して入力した文字を該光源が発光した光を透過又は遮光することにより、所定の位置に文字を写しこみ合成する。【００２３】このような装置にすることによって、従来のカメラと同様にコンパクトな漢字等手書き入力カメラが出現した。又カメラの傍らに大きなコンピュータのキーボードやボタンを必要とせず、タッチペン１６でカメラに内臓した記憶素子を操作できるのである。
【図面の簡単な説明】
【００２４】
【図１】本発明に係わる漢字等手書き入力カメラの斜視図
【図２】タッチパネルの入力ボタン操作時の画面
【図３】タッチパネルの確定ボタン操作時の画面
【符号の説明】
【００２５】１  カメラ                          １０  再入力
２  レンズ                          １１  入／切ボタン
３  レリーズボタン                  １２  クリアーボタン
４  タッチパネル                    １３  入力ボタン
５  漢字                            １４  設定
６  ひらがな（カタカナ）            １５  確定ボタン
７  画像モニター                    １６  タッチペン
８  画像                            １７  確定画像
９  英語                            １８  日付
【図１】
2007128474.tif 000003
【図２】
2007128474.tif 000004
【図３】
2007128474.tif 000005
【手続補正書】
【提出日】平成18年2月15日(2006.2.15)
【手続補正１】
【補正対象書類名】特許請求の範囲
【補正対象項目名】全文
【補正方法】変更
【補正の内容】
【特許請求の範囲】
【請求項１】
カメラ本体に漢字、ひらがな、カタカナ、英語等の各国語の活字体を記憶しているコンピュータの記憶素子を備え、カメラにタッチパネルを設け、入／切ボタンを入に入れ、タッチペンでタッチパネル面に手書き入力方法で撮影の際に必要な文字情報を入力し、モニターの漢字等のボタンを押すと、手書き入力の文字情報が記憶素子に伝達され、記憶素子が認識し、手書き入力を活字体に変換して表示し  確定ボタンを押すと、これら一連の活字体は、電子的情報処理で画像とリンクさせて、デジタルカメラや銀塩カメラやビデオカメラのタッチパネルやフィルムに記憶表示するようにした漢字等手書き等入力カメラ。
【手続補正２】
【補正対象書類名】明細書
【補正対象項目名】０００１
【補正方法】変更
【補正の内容】
【０００１】  次に入力ボタン１３を押し、先ず前記メモの中の漢字だけを順にタッチペン１６でタッチして入力する。次に画像モニター７の漢字５をタッチペン１６でタッチして手書き入力の文字情報が記憶素子に伝達され、記憶素子が認識し手書き入力を活字体に変換して表示する。又次は、前記画像モニター７の残りのひらがな、（カタカナ）６をタッチペン１６で入力して活字体に直す。
【手続補正書】
【提出日】平成18年6月8日(2006.6.8)
【手続補正１】
【補正対象書類名】明細書
【補正対象項目名】特許請求の範囲
【補正方法】変更
【補正の内容】
【特許請求の範囲】
【請求項１】  カメラ本体にひらがな、漢字、カタカナ、英語等の各国語の活字体を記憶しているコンピュータのメモリーを備え、カメラにタッチパネルを設け、入／切ボタンを入にいれ、タッチパネル面に手書き入力方法で撮影の際に必要なひらがな等の文字情報を入力し、モニターの漢字等のボタンを押すと、手書き入力の文字情報がメモリーに伝達され、メモリーが認識し、手書き入力を漢字等の活字体に変換して表示し、確定ボタンを押すと、これら一連の活字体は、電子的情報処理で画像とリンクさせて、デジタルカメラや銀塩カメラのタッチパネルやフィルムに記憶表示するようにしたひらがな等手書き等入力カメラ。
【手続補正３】
【補正対象書類名】明細書
【補正対象項目名】技術分野
【補正方法】変更
【補正の内容】
【技術分野】
【０００１】
本発明は、ひらがな等手書き入力カメラに係り、撮影した画像に手書きで入力した文字をリンクさせて記録することが可能なひらがな等手書き入力に関する。
【手続補正４】
【補正対象書類名】明細書
【補正対象項目名】０００６
【補正方法】変更
【補正の内容】
【０００６】特許文献２では、カメラ本体にコンピュータのメモリを備えておらず、文字は手書き入力していた。人には字の上手な人や、下手な人がいるが、字の下手な場合には、判読が難しいものもある。
【手続補正５】
【補正対象書類名】明細書
【補正対象項目名】００１０
【補正方法】変更
【補正の内容】
【００１０】そして、本発明では上記目的を達成するために、カメラ本体に、漢字、ひらがな、カタカナ、英語等の各国語の活字体を記録しているコンピュータのメモリーを備え、撮影の際の必要な文字情報を、手書き入力方法で文字情報をいれ、電子的情報処理で画像とリンクさせる。
【手続補正６】
【補正対象書類名】明細書
【補正対象項目名】００１５
【補正方法】変更
【補正の内容】
【００１５】図１、２、３はひらがな等手書き入力カメラ１を用いて被写体を撮影し、ひらがな等手書き入力を行っている状態を示している。ひらがな等手書き入力カメラ１には、被写体像を結像面に結像させるレンズ２と撮影を指示するレリーズボタンと画像モニター７とが設けられている。
【手続補正７】
【補正対象書類名】明細書
【補正対象項目名】００１６
【補正方法】変更
【補正の内容】
【００１６】又、ひらがな等手書き入力のメッセージを直接書き込むことが可能な、タッチパネル４等で構成された画像８が設けられている。    この入力にさいして、タッチパネル１６を用いると前記メッセージの入力が容易となる。
【手続補正８】
【補正対象書類名】明細書
【補正対象項目名】００１７
【補正方法】変更
【補正の内容】
【００１７】カメラ本体にひらがな、漢字、カタカナ、英語等の各国語の活字体を記憶しているコンピュータのメモリーを備え、撮影の際の必要な文字情報をひらがな等手書き入力方法で、文字情報を入れ、電子的情報処理で画像とリンクさせて、活字体でデジタルカメラや銀塩カメラやビデオカメラに記録するようにしたもので、前記手書き入力方法にタッチパネルを用いるのと前記文字情報を光学的情報に変更して、デジタルカメラや銀塩カメラやビデオカメラに記録することを特徴とするひらがな等手書き入力カメラである。又、図１、２、３のタッチパネル４のひらがな等手書き入力カメラである。又、図１、２、３のタッチパネル４の漢字等や画像８の動きを理解し易くするため、仮定の太郎という少年を設定した。子供の成長が早く、昔撮った子供の顔が何才の頃か現在の認識が困難である。液晶モニターは、ドットマトリックスという方式の液晶パネルに、多くの小さなドット（点）を規則的に配置し、それぞれを光らせたり、光らせなかったりして映像や文字を表示します。
Ｘ（横）軸やＹ（縦）軸の文点（画素）に電圧をかけて黒（または白）を表示します。これらは抵抗膜方式や静電容量方式などがあります。抵抗膜方式は、液晶ディスプレイの表面に導電性を持つ透明な電極２枚を透門なスペーサーでわずかな間隔を維持した状態にしておき、ペンタッチされたときに、二つの電極がショートして通電し、特定のポイントを示す電気信号を取り出します。図４は、本発明のひらがな漢字変換装置の基本構成を示すものである。透明なタッチパネル１９はタンチペンの座標位置を電気信号として出力し、又この電気信号をデジタル信号に変換する座標検出部を有するものである。このデジタル信号はＣＰＵ２４を通じ、活字体メモリー２６に入力する。この入力パターンデータと活字体各メモリーの認識文字はパターンデータと比較することによって類似しているものを入力文字として認識するもので、漢字メモリーに格納されている当用漢字音訓表の漢字のふりがなの中から文字パターンが同じふりがなのものを抽出して、その漢字の活字体を電気信号として、液晶画面のタッチパネルに送るのである。その内部に後述する各種のメモリーが備えられている。ひらがな、漢字、カタカナ、英語等で認識されたこのメモリーデータは文書メモリー２６に記憶される。この文書メモリー２６はフィルム面上に写しこむべき１行分のメッセージデータを入力された順序にしたがって順次記憶されるもので、この文書メモリー２６に書き込まれたメッセージデータはメッセージ表示制御部３１を介して写しこみ液晶表示３２に表示される。ＣＰＵ２４の演算処理に必要なデータが記憶されたＲＯＭ２３とＣＰＵ２４から出力されるデータを一時的に記憶するためＶＲＡＭ２２がある。
【手続補正９】
【補正対象書類名】明細書
【補正対象項目名】００１８
【補正方法】変更
【補正の内容】
【００１８】画像モニター７の右側の漢字５、ひらがな６、英語９のタッチパネル４の内部には夫々、漢字５等のコンピュータの活字体メモリー２６が内臓されている。又、再入力１０は画像８に誤って入力されていた場合の補正の手段である。又、設定１４はフィルムに表示されている活字体の黄色等の色を選択するものである。
携帯電話の入力と同じように画像モニター７にひらがなを入力し、タッチパネルの漢字のボタンを押すと画像モニター７の下側に漢字に転換され表示されます。
【手続補正１０】
【補正対象書類名】明細書
【補正対象項目名】００２０
【補正方法】変更
【補正の内容】
【００２０】次に入力ボタン１３を押し、先ず前記メモの中のひらがなを入力し、順にタッチペン１６でタッチして入力する。次に画像モニター７の漢字５をタッチペン１６でタッチして手書きのひらがなを漢字の活字体に直す。正しい漢字が表示しない場合に再度漢字５を押して正しくする。又次は、前記画像モニター７の残りのひらがな（カタカナ）６をタッチペン１６で入力し、画像モニター７のひらがな、（カタカナ）６をタッチペン１６でタッチして活字体に直す。
【手続補正１１】
【補正対象書類名】明細書
【補正対象項目名】００２２
【補正方法】変更
【補正の内容】
【００２２】そしてひらがな等手書き入力カメラ１を撮影する被写体に向けて、焦点や露出状態を決定したのちにレリーズボタン３を押して撮影を終了する。銀塩フィルムやデジタルカメラやビデオカメラのＣＣＤに記録した画像に、入力した漢字５やひらがな６、文字等を合成して記録する場合には、銀塩フィルムの近傍に光源を設け、該光源と銀塩フィルムやＣＣＤの間に液晶等で複数のドットを表示して入力した文字を該光源が発光した光を透過又は遮光することにより、所定の位置に文字を写しこみ合成する。
【手続補正１２】
【補正対象書類名】明細書
【補正対象項目名】００２３
【補正方法】変更
【補正の内容】
【００２３】このような装置にすることによって、従来のカメラと同様に、コンパクトなひらがな等手書き入力カメラが出現した。又カメラの傍らに大きなコンピュータのキーボードやボタンを必要とせず、タッチペン１６で入力しカメラに内臓したメモリーを操作できるのである。
【手続補正１３】
【補正対象書類名】明細書
【補正対象項目名】００２４
【補正方法】変更
【補正の内容】
【図面の簡単な説明】
【００２４】
【図１】本発明に係るひらがな等手書き入力カメラの斜視図
【図２】タッチパネルの入力ボタン操作時の画面
【図３】タッチパネルの確定ボタン操作時の画面
【図４】本発明の実施例のひらがな漢字変換装置の基本構成を説明するためのブロック図
【符号の説明】
【００２５】
１  カメラ
２  レンズ
３  レリーズボタン
４  タッチパネル
５  漢字
６  ひらがな（カタカナ）
７  画像モニター
８  画像
９  英語
１０  再入力
１１  入／切
１２  クリアーボタン
１３  入力ボタン
１４  設定
１５  確定ボタン
１６  タッチペン
１７  確定画像
１８  日付
１９  タッチパネル
２０  座標検出部
２１  ＶＲＡＭ
２２  標示制御部
２３  ＲＯＭ
２４  ＣＰＵ
２５  文書メモリー
２６  活字体メモリー
２７  ひらがなメモリー
２８  漢字メモリー
２９  カタカナメモリー
３０  英語メモリー
３１  表示制御部
３２  液晶表示部
【手続補正１４】
【補正対象書類名】図面
【補正対象項目名】図２
【補正方法】変更
【補正の内容】
【図２】
2007128474.tif 000006
【手続補正１５】
【補正対象書類名】図面
【補正対象項目名】図４
【補正方法】追加
【補正の内容】
【図４】
2007128474.tif 000007
【手続補正１６】
【補正対象書類名】要約書
【補正対象項目名】全文
【補正方法】変更
【補正の内容】
【要約】【要約】
【課題】従来のサイン入力カメラは手書きで文字情報を書き込みするが字の下手な場合に、文字の判読が難しいこともあった。
【解決手段】  カメラ本体に、ひらがな、漢字、カタカナ、英語等の各国語の活字体を記憶しているコンピュータのメモリーを備え、撮影の際の必要な文字情報をひらがな等の手書き入力方法で、文字情報を入れ、電子的情報処理で画像とリンクさせて、活字体、デジタルカメラや銀塩カメラやビデオカメラに記録するようにしたもので、前記手書き入力方法にタッチパネルを用いるのと前記文字情報を光学情報に変更して、デジタルカメラや銀塩カメラやビデオカメラに記録とするひらがな等手書き入力カメラ。
【選択図】図１